【手続補正書】
【提出日】平成28年11月22日(2016.11.22)
【手続補正１】
【補正対象書類名】特許請求の範囲
【補正対象項目名】全文
【補正方法】変更
【補正の内容】
【特許請求の範囲】
【請求項１】
ワイヤレス近傍アウェアネットワーク（ＮＡＮ）基本サービスセット識別子（ＢＳＳＩＤ）を含んでいる、ＮＡＮにおいて通信する方法であって、
発見ウィンドウを含んでいる発見期間を決定することと、
前記発見ウィンドウの開始時間を示すフレームを生成することと、
前記発見期間と前記フレームとネットワークアドレスとを識別する情報を備えるＮＡＮビーコンまたは他の同期フレームを生成することと、前記ネットワークアドレスは、ワイヤレスデバイスのアドレスとは無関係に、前記ＮＡＮ  ＢＳＳＩＤを備える、
前記ワイヤレスデバイスにおいて、前記発見ウィンドウ中に前記ＮＡＮビーコンまたは他の同期フレームを送信することと
を備える、方法。
【請求項２】
前記ＮＡＮビーコンまたは他の同期フレームが、後続の発見期間の時間を示す時間同期機能（ＴＳＦ）を備える情報要素をさらに備える、請求項１に記載の方法。
【請求項３】
前記ＮＡＮビーコンまたは他の同期フレームが、現在の発見ウィンドウの時間を示す時間同期機能（ＴＳＦ）を備える情報要素をさらに備える、請求項１に記載の方法。
【請求項４】
前記ＮＡＮビーコンまたは他の同期フレームが、送信アドレスを備える情報要素をさらに備える、請求項１に記載の方法。
【請求項５】
前記ＮＡＮ  ＢＳＳＩＤがアプリケーション識別子に基づく、請求項１に記載の方法。
【請求項６】
前記ＮＡＮ  ＢＳＳＩＤが仮固有ネットワーク識別子を備える、請求項１に記載の方法。
【請求項７】
前記ＮＡＮビーコンまたは他の同期フレームは、前記ＮＡＮビーコンまたは他の同期フレームがビーコン管理フレームであるという指示を備えるフレーム制御フィールドをさらに備える、請求項１に記載の方法。
【請求項８】
前記フレーム制御フィールドは、前記ＮＡＮビーコンまたは他の同期フレームがプローブ応答であるという指示をさらに備える、請求項７に記載の方法。
【請求項９】
前記ＮＡＮビーコンまたは他の同期フレームが、ブロードキャストアドレスを備える宛先アドレスをさらに備える、請求項１に記載の方法。
【請求項１０】
前記宛先アドレスは、前記ビーコンが、ＮＡＮビーコンまたは他の同期フレームであることを示すマルチキャストアドレスまたはアドレスのグループをさらに備える、請求項９に記載の方法。
【請求項１１】
前記宛先アドレスが前記ＮＡＮ  ＢＳＳＩＤと同じである、請求項９に記載の方法。
【請求項１２】
前記ＮＡＮビーコンまたは他の同期フレームが、前記ＮＡＮ  ＢＳＳＩＤとは異なるソースアドレスをさらに備える、請求項１に記載の方法。
【請求項１３】
前記ソースアドレスが、前記ワイヤレスデバイスのアドレスを備え、前記ＮＡＮ  ＢＳＳＩＤが、標準化団体定義ＢＳＳＩＤとアプリケーション定義ＢＳＳＩＤとのうちの少なくとも１つを備える、請求項１２に記載の方法。
【請求項１４】
請求項１乃至１３のうちのいずれかの方法を実行するための命令を備える、コンピュータプログラム。
【請求項１５】
ワイヤレス近傍アウェアネットワーク（ＮＡＮ）基本サービスセット識別子（ＢＳＳＩＤ）を含んでいる、ＮＡＮにおいて通信するための装置であって、
発見ウィンドウを含んでいる発見期間を決定するための手段と、
前記発見ウィンドウの開始時間を示すフレームを生成するための手段と、
前記発見期間と前記フレームとネットワークアドレスとを識別する情報を備えるＮＡＮビーコンまたは他の同期フレームを生成するための手段と、前記ネットワークアドレスは、ワイヤレスデバイスのアドレスとは無関係に、前記ＮＡＮ  ＢＳＳＩＤを備える、
前記ワイヤレスデバイスにおいて、前記発見ウィンドウ中に前記ＮＡＮビーコンまたは他の同期フレームを送信するための手段と
を備える、装置。
【手続補正２】
【補正対象書類名】明細書
【補正対象項目名】０１５７
【補正方法】変更
【補正の内容】
【０１５７】
[00169]同様に、動作は特定の順序で図面に示されているが、これは、望ましい結果を達成するために、そのような動作が、示される特定の順序でまたは順番に実行されること
を、あるいはすべての図示の動作が実行されることを必要とし得ない。いくつかの状況では、マルチタスキングおよび並列処理が有利であり得る。その上、上記で説明した実装形態における様々なシステム構成要素の分離は、すべての実装形態においてそのような分離を必要とし得ず、説明するプログラム構成要素およびシステムは、概して、単一のソフトウェア製品において互いに一体化されるか、または複数のソフトウェア製品にパッケージングされ得る。さらに、他の実装形態が以下の特許請求の範囲内に入る。場合によっては、特許請求の範囲に記載の行為は、異なる順序で実行され、依然として望ましい結果を達成し得る。
以下に、本願出願時の特許請求の範囲に記載された発明を付記する。
［１］ワイヤレス近傍アウェアネットワーク（ＮＡＮ）において通信する方法であって、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を備える、方法。
［２］ＮＡＮ基本サービスセット識別子（ＢＳＳＩＤ）を決定することをさらに備え、ここにおいて、前記ＮＡＮビーコンまたは他の同期フレームが前記ＮＡＮ  ＢＳＳＩＤをさらに備える、［１］に記載の方法。
［３］前記ＮＡＮビーコンまたは他の同期フレームが、後続の発見期間の時間を示す時間同期機能（ＴＳＦ）を備える情報要素をさらに備える、［１］に記載の方法。
［４］前記ＮＡＮビーコンまたは他の同期フレームが、現在の発見ウィンドウの時間を示す時間同期機能（ＴＳＦ）を備える情報要素をさらに備える、［１］に記載の方法。
［５］前記ＮＡＮビーコンまたは他の同期フレームが、送信アドレスを備える情報要素をさらに備える、［１］に記載の方法。
［６］前記ＮＡＮ  ＢＳＳＩＤがユニバーサルＢＳＳＩＤトークンを備える、［１］に記載の方法。
［７］前記ＮＡＮ  ＢＳＳＩＤがアプリケーション識別子に基づく、［１］に記載の方法。
［８］前記ＮＡＮ  ＢＳＳＩＤが仮固有ネットワーク識別子を備える、［１］に記載の方法。
［９］前記ＮＡＮビーコンまたは他の同期フレームは、前記ＮＡＮビーコンまたは他の同期フレームがビーコン管理フレームであるという指示を備えるフレーム制御フィールドをさらに備える、［１］に記載の方法。
［１０］前記フレーム制御フィールドは、前記ＮＡＮビーコンまたは他の同期フレームがプローブ応答であるという指示をさらに備える、［９］に記載の方法。
［１１］前記ＮＡＮビーコンまたは他の同期フレームが、ブロードキャストアドレスを備える宛先アドレスをさらに備える、［１］に記載の方法。
［１２］前記宛先アドレスは、前記ビーコンが、ＮＡＮビーコンまたは他の同期フレームであることを示すマルチキャストアドレスまたはアドレスのグループをさらに備える、［１１］に記載の方法。
［１３］前記宛先アドレスが前記ＮＡＮ  ＢＳＳＩＤと同じある、［１１］に記載の方法。
［１４］前記ＮＡＮビーコンまたは他の同期フレームが、前記ＮＡＮ  ＢＳＳＩＤとは異なるソースアドレスをさらに備える、［１］に記載の方法。
［１５］前記ソースアドレスが、前記ワイヤレスデバイスのアドレスを備え、前記ＮＡＮ ＢＳＳＩＤが、標準化団体定義ＢＳＳＩＤとアプリケーション定義ＢＳＳＩＤとのうちの少なくとも１つを備える、［１４］に記載の方法。
［１６］前記ソースアドレスが、前記ワイヤレスデバイスのアドレスとは無関係に、前記ＮＡＮ
ＢＳＳＩＤを備える、［１４］に記載の方法。
［１７］前記ソースアドレスフィールドが前記ＮＡＮ  ＢＳＳＩＤを備えるとき、前記ワイヤレスデバイスの前記アドレスが、前記ビーコンのフレーム本体中で搬送される、［１６］に記載の方法。
［１８］前記ＮＡＮビーコンまたは他の同期フレームが、前記ワイヤレスデバイスの特徴に基づくＮＡＮ  ＢＳＳＩＤをさらに備える、［１］に記載の方法。
［１９］前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、［１］に記載の方法。
［２０］前記ＮＡＮビーコンまたは他の同期フレームが、標準化団体定義ＳＳＩＤおよびアプリケーション定義ＳＳＩＤのうちの少なくとも１つを備えるＳＳＩＤ要素をさらに備える、［１］に記載の方法。
［２１］ワイヤレス近傍アウェアネットワーク（ＮＡＮ）において通信するように構成されたワイヤレスデバイスであって、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を行うように構成されたプロセッサ
を備える、ワイヤレスデバイス。
［２２］ＮＡＮ基本サービスセット識別子（ＢＳＳＩＤ）を決定することをさらに備え、ここにおいて、前記ＮＡＮビーコンまたは他の同期フレームが前記ＮＡＮ  ＢＳＳＩＤをさらに備える、［２１］に記載のワイヤレスデバイス。
［２３］前記ＮＡＮビーコンまたは他の同期フレームが、後続の発見期間の時間を示す時間同期機能（ＴＳＦ）を備える情報要素をさらに備える、［２１］に記載のワイヤレスデバイス。
［２４］前記ＮＡＮビーコンまたは他の同期フレームが、現在の発見ウィンドウの時間を示す時間同期機能（ＴＳＦ）を備える情報要素をさらに備える、［２１］に記載のワイヤレスデバイス。
［２５］前記ＮＡＮビーコンまたは他の同期フレームが、送信アドレスを備える情報要素をさらに備える、［２１］に記載のワイヤレスデバイス。
［２６］前記ＮＡＮ  ＢＳＳＩＤがユニバーサルＢＳＳＩＤトークンを備える、［２１］に記載のワイヤレスデバイス。
［２７］前記ＮＡＮ  ＢＳＳＩＤがアプリケーション識別子に基づく、［２１］に記載のワイヤレスデバイス。
［２８］前記ＮＡＮ  ＢＳＳＩＤが仮固有ネットワーク識別子を備える、［２１］に記載のワイヤレスデバイス。
［２９］前記ＮＡＮビーコンまたは他の同期フレームは、前記ＮＡＮビーコンまたは他の同期フレームがビーコン管理フレームであるという指示を備えるフレーム制御フィールドをさらに備える、［２１］に記載のワイヤレスデバイス。
［３０］前記フレーム制御フィールドは、前記ＮＡＮビーコンまたは他の同期フレームがプローブ応答であるという指示をさらに備える、［２９］に記載のワイヤレスデバイス。
［３１］前記ＮＡＮビーコンまたは他の同期フレームが、ブロードキャストアドレスを備える宛先アドレスをさらに備える、［２１］に記載のワイヤレスデバイス。
［３２］前記宛先アドレスは、前記ビーコンが、ＮＡＮビーコンまたは他の同期フレームであることを示すマルチキャストアドレスまたはアドレスのグループをさらに備える、［３１］に記載のワイヤレスデバイス。
［３３］前記宛先アドレスが前記ＮＡＮ  ＢＳＳＩＤと同じある、［３１］に記載のワイヤレスデバイス。
［３４］前記ＮＡＮビーコンまたは他の同期フレームが、前記ＮＡＮ  ＢＳＳＩＤとは異なるソースアドレスをさらに備える、［２１］に記載のワイヤレスデバイス。
［３５］前記ソースアドレスが、前記ワイヤレスデバイスのアドレスを備え、前記ＮＡＮ ＢＳＳＩＤが、標準化団体定義ＢＳＳＩＤとアプリケーション定義ＢＳＳＩＤとのうちの少なくとも１つを備える、［３４］に記載のワイヤレスデバイス。
［３６］前記ソースアドレスが、前記ワイヤレスデバイスのアドレスとは無関係に、前記ＮＡＮ
ＢＳＳＩＤを備える、［３４］に記載のワイヤレスデバイス。
［３７］前記ソースアドレスフィールドが前記ＮＡＮ  ＢＳＳＩＤを備えるとき、前記ワイヤレスデバイスの前記アドレスが、前記ビーコンのフレーム本体中で搬送される、［３６］に記載のワイヤレスデバイス。
［３８］前記ＮＡＮビーコンまたは他の同期フレームが、前記ワイヤレスデバイスの特徴に基づくＮＡＮ  ＢＳＳＩをさらに備える、［２１］に記載のワイヤレスデバイス。
［３９］前記ＮＡＮビーコンまたは他の同期フレームが、前記ＮＡＮビーコンまたは他の同期フレームの前記生成のときの前記ワイヤレスデバイスのクロック時間を備えるタイムスタンプをさらに備える、［２１］に記載のワイヤレスデバイス。
［４０］前記ＮＡＮビーコンまたは他の同期フレームが、標準化団体定義ＳＳＩＤおよびアプリケーション定義ＳＳＩＤのうちの少なくとも１つを備えるＳＳＩＤ要素をさらに備える、［２１］に記載の方法。
［４１］ワイヤレス近傍アウェアネットワーク（ＮＡＮ）において通信するための装置であって、
発見期間を決定するための手段と、
発見ウィンドウの開始時間を示す発見ウィンドウ情報要素を生成するための手段と、
前記発見期間と前記発見ウィンドウ情報要素とを識別する情報を備えるＮＡＮビーコンまたは他の同期フレームを生成するための手段と、
ワイヤレスデバイスにおいて、前記発見ウィンドウ中に前記ＮＡＮビーコンまたは他の同期フレームを送信するための手段と
を備える、装置。
［４２］実行されたとき、装置に、
発見期間を決定することと、
発見ウィンドウの開始時間を示す発見ウィンドウ情報要素を生成することと、
前記発見期間と前記発見ウィンドウ情報要素とを識別する情報を備えるＮＡＮビーコンまたは他の同期フレームを生成することと、
ワイヤレスデバイスにおいて、前記発見ウィンドウ中に前記ＮＡＮビーコンまたは他の同期フレームを送信することと
を行わせるコードを備える非一時的コンピュータ可読媒体。